(57)【要約】【課題】  コンパクトで多目的に利用できるマルチボードユニットを提供する。【解決手段】  マルチボードユニット１は、略矩形状の第１板状部材２と、第１板状部材２の第一辺２ａを支持する第２板状部材３と、第一辺２ａに隣接する第二辺２ｂを支持する第３板状部材４を備える。第２，第３板状部材３，４を第１板状部材２に起立させた状態では洋式便座台として利用でき、折り畳み状態では運搬ボードとして利用できる。第２，第３板状部材３，４に載置溝３３，４３を設け、パイプ椅子５３を載置した場合には、簡易車椅子として利用できる。【選択図】図４
2020039577.tif 000002
【特許請求の範囲】
【請求項１】
略矩形状の第１板状部材と、第１板状部材の第一辺を支持する第２板状部材と、前記第一辺に隣接する第二辺を支持する第３板状部材と、を備え、
第２板状部材は、第３板状部材を起立状態で挟持するスリット状の挟持部を備え、
第２板状部材および第３板状部材は、第１板状部材に向けて折り畳み可能に蝶着され、  第１板状部材は、前記第一辺の対向辺に切り欠き部を有するとともに、被支持面の裏面にキャスターを取り付ける取付孔を有することを特徴とするマルチボードユニット。
【請求項２】
折り畳み状態において、第２板状部材および第３板状部材が略同一平面内に収容され、第２板状部材および第３板状部材を含む折り畳み外面に棒状部材を載置する載置溝を設けた請求項１に記載のマルチボードユニット。
【請求項３】
前記載置溝の長手方向側方に、折り畳み状態において第１板状部材および第２板状部材を貫通する貫通孔を設けた請求項２に記載のマルチボードユニット。
【請求項４】
第１板状部材の前記第一辺に前記切り欠き部に連結される連結部を備え、前記連結部の両側方に一対の凸部を突設し、前記切り欠き部の端面に前記凸部と係合可能な一対の凹部を設けた請求項１〜３のいずれか一項に記載のマルチボードユニット。
【請求項５】
前記連結部に、手指を挿入可能な持ち手穴を設けた請求項４に記載のマルチボードユニット。
【請求項６】
請求項１〜５のいずれか一項に記載の第１マルチボードユニットと、請求項１〜５のいずれか一項に記載の第２マルチボードユニットと、を含み、
第１マルチボードユニットの前記凹部に前記第２マルチボードユニットの前記凸部が係合された場合に、第１マルチボードユニットの前記第一辺の端面と第２マルチボードユニットの前記対向辺の端面が対向する複合型マルチボードユニット。
【発明の詳細な説明】
【技術分野】
【０００１】
本発明は、多目的に利用できる、特に防災グッズとして活用できる組み立て式のマルチボードユニットに関する。
【背景技術】
【０００２】
近年、地震や集中豪雨などの自然災害に備え、避難生活をサポートする便利な防災グッズが開発されている。例えば、特許文献１には、平常時は壁面に収容し、災害時に組み立てて、和式トイレに設置できる洋式便座台とする技術が開示されている。また、特許文献２には、椅子を台車に固定し、介護用の移動装置として利用する技術が開示されている。
【先行技術文献】
【特許文献】
【０００３】
【特許文献１】特開平８−３０８７６６号公報
【特許文献２】特開２００２−３３６３０４号公報
【発明の概要】
【発明が解決しようとする課題】
【０００４】
ところで、防災グッズは、より多くの被災者に行き渡るよう、運搬が容易で設置スペースを圧迫しないことが望ましい。また、被災時には普段の生活から想定できないような物資が必要となる場合もあるため、転用の効く防災グッズも好適である。
【０００５】
ここで特許文献１，２の技術を参照すると、例えば、和式トイレの洋式化のためには洋式便座台を、要介護者の移動のためには移動装置を、それぞれ独立して用意する必要がある。このため、必要数を確保できないという問題や、限られた避難所内のスペースを圧迫してしまうという問題もあった。
【０００６】
そこで、本発明の目的は、コンパクトで多目的に利用できるマルチボードユニットを提供することにある。
【課題を解決するための手段】
【０００７】
上記課題を解決するために、本発明のマルチボードユニットは、以下の特徴を有する。
（１）略矩形状の第１板状部材と、第１板状部材の第一辺を支持する第２板状部材と、第一辺に隣接する第二辺を支持する第３板状部材と、を備え、第２板状部材は、第３板状部材を起立状態で挟持するスリット状の挟持部を備え、第２板状部材および第３板状部材は、第１板状部材に向けて折り畳み可能に蝶着され、第１板状部材は、第一辺の対向辺に切り欠き部を有するとともに、被支持面の裏面にキャスターを取り付ける取付孔を有する。
【０００８】
（２）折り畳み状態において、第２板状部材および第３板状部材が略同一平面内に収容され、第２板状部材および第３板状部材を含む折り畳み外面に棒状部材を載置する載置溝を備えても良い。
【０００９】
（３）また、載置溝の長手方向側方に、折り畳み状態において第１板状部材および第２板状部材を貫通する貫通孔を設けても良い。
【００１０】
（４）第１板状部材の第一辺に切り欠き部に連結される連結部を備え、連結部の両側方に一対の凸部を突設し、切り欠き部の端面に凸部と係合可能な一対の凹部を設けても良い。
【００１１】
（５）また、連結部に、手指を挿入可能な持ち手穴を設けても良い。このとき、第２板状部材および第３板状部材は、第１板状部材が画定する略矩形状の範囲内に収容されるように折り畳まれるように設けることも好ましい。
【００１２】
上記（１）〜（５）のいずれか一つに記載の第１マルチボードユニットと、上記（１）〜（５）のいずれか一つに記載の第２マルチボードユニットと、を含み、第１マルチボードユニットの凹部に第２マルチボードユニットの凸部が係合された場合に、第１マルチボードユニットの第一辺の端面と第２マルチボードユニットの対向辺の端面が対向するように構成することも好適である。
【発明の効果】
【００１３】
本発明のマルチボードユニットによれば、第２板状部材および第３板状部材を第１板状部材に起立させた場合には、例えば、切り欠き部を便座穴とする洋式便座台として用いることができ、第２板状部材および第３板状部材を折り畳んだ場合には、例えば、第１板状部材にキャスターを取り付け、運搬ボードとして用いることができるという優れた効果がある。
【図面の簡単な説明】
【００１４】
【図１】本発明の一実施形態を示すマルチボードユニットを示す（ａ）正面図、（ｂ）背面図である。
【図２】図１のマルチボードユニットの（ａ）右側面図、（ｂ）Ａ−Ａ線断面図、（ｃ）平面図、（ｄ）底面図
【図３】図１のマルチボードユニットの斜視図である。
【図４】図１のマルチボードユニットを（ａ）洋式便座台、（ｂ）運搬ボードとして用いた様子を示す斜視図である。
【図５】図２（ａ）の洋式便座台の組み立て手順を示す説明図である。
【図６】図２（ｂ）の運搬ボードの組み立て手順を示す説明図である。
【図７】複数の運搬ボードを組み合わせて拡張する様子を示す斜視図である。
【図８】マルチボードユニットにパイプ椅子を載置し、簡易車椅子として用いた様子を示す斜視図である。
【図９】マルチボードユニットを重ねて所定の容器に収納する様子を示す説明図である。
【発明を実施するための形態】
【００１５】
以下、本発明を防災用のマルチボードユニットに具体化した一実施形態を図面に基づいて説明する。図１〜３に示すように、この実施形態のマルチボードユニット１は、略矩形形状の第１板状部材２と、第１板状部材２の第一辺２ａを支持する第２板状部材３と、第一辺２ａに隣接する第二辺２ｂを支持する第３板状部材４を備える。
【００１６】
第１板状部材２は、第一辺２ａの対向辺２ｃの縁部に洋式便座の便座穴として機能する切り欠き部２４を備え、第２，第３板状部材３，４により支持される面（被支持面２Ａ）の裏面２Ｂに、キャスター５４を取り付ける取付穴２５を備えている。
【００１７】
また、第一辺２ａの中央部には、他のマルチボードユニット１の切り欠き部２４に係合させて連結できる連結部２６が設けられている。さらに、連結部２６は、両側方に張り出すように一対の凸部２７を突設し、切り欠き部２４の端面には凸部２７と係合する一対の凹部２８を備えている。そして、複数のマルチボードユニット１を連結すると、連結側にマルチボードユニット１の第一辺２ａの端面と被連結側のマルチボードユニット１の対向辺２ｃとが対向するように構成されている。また、連結部２６には、手指を挿入可能な持ち手穴３０が設けられている。
【００１８】
第２板状部材３は、第３板状部材４を起立状態（図５参照）で挟持するスリット状の挟持部３２を有する。また、第２，第３板状部材３，４は、それぞれ第１板状部材２に向けて折り畳み可能に蝶着する蝶着機構３１，４１を備え、蝶着機構３１，４１を介して第１板状部材２と接続されている。なお、蝶着機構３１，４１は、蝶番のほか、強粘着性の布やセロハン等の材質からなる接着テープを折り畳み面内側に貼り渡して構成することが可能である。
【００１９】
第２，第３板状部材３，４は、第１板状部材２に向けて折り畳んだ状態において、略同一平面内に収容される。第２，第３板状部材３，４を含む折り畳み外面には、棒状部材、例えばパイプ椅子５３の脚部（図８参照）を載置するための載置溝３３，４３が設けられている。また、載置溝３３，４３の長手方向の両側方には、第１，２板状部材２，３を貫通する貫通孔２９，３９が設けられ、貫通孔２９，３９に固定具５５を挿通して、パイプ椅子５３をマルチボードユニット１に括り付けて固定することができる。固定具５５は、布・樹脂製の紐やバンドなどが採用できる。なお、第２，第３板状部材３，４は、第１板状部材２が画定する略矩形状の範囲内に収容されるように折り畳まれる。
【００２０】
次に、上記構成のマルチボードユニット１の使用例について図４〜図９に基づいて説明する。図４は（ａ）洋式便座台、（ｂ）運搬ボードとしての使用例を示している。洋式便座台として使用する場合には、図５（ａ）に示すように、マルチボードユニット１を平置きし、図５（ｂ），（ｃ）に示すように、第３板状部材４を起立させて第２板状部材３の挟持部３２で保持し、図５（ｄ）に示すように配置する。運搬ボードとして使用する場合には、図６（ａ）に示すように、マルチボードユニット１の取付穴２５にキャスター５４を装着し、図６（ｂ）に示すように配置する。
【００２１】
マルチボードユニット１は、複数個連結させて、大きな貨物を載置できるように拡張することが可能である。例えば、図７（ａ）に示すように、切り欠き部２４の端面に設けられた凹部２８に、連結部２６に設けられた凸部２７を係合させ、図７（ｂ）に示すように配置する。すると、連結側のマルチボードユニット１の第一辺２ａの端面と、被連結側の対向辺２ｃの端面とが対向するように連結される。
【００２２】
さらに、マルチボードユニット１の上にパイプ椅子５３を載置し、簡易車椅子として使用することができる。図８に示すように、例えば、載置溝３３，４３にパイプ椅子５３の脚部を載置できる。このとき、貫通孔２９，３９に固定具５５を挿通し、脚部をマルチボードユニット１に括り付けて固定することも可能である。
【００２３】
その他、マルチボードユニット１を所定の容器５６に収容し、防災グッズとして持ち運ぶことも可能である。例えば、図９に示すように、複数のマルチボードユニット１をキャスター取付穴２５が内側となるように重ね、持ち手穴３０を設けた連結部２６を露出させた状態で容器５６に収容することも可能である。このとき、第２，第３板状部材３，４が、折り畳み状態において第１板状部材２が画定する略矩形状の領域内に収容されるように構成されている場合は、よりスムーズに収容できる。
【００２４】
以上のように構成されたマルチボードユニット１によれば、組み立てた場合には、洋式便座台として使用することができ、折り畳んでキャスター５４を装着した場合には、運搬ボードとして使用することができ、パイプ椅子５３を載置して固定した場合には、簡易車椅子として使用することができるため、組み立て状態によって多目的の用途に使用できるという優れた効果を有する。また、マルチボードユニット１を連結させ、運搬ボードを拡張することも可能である。この場合には、第一辺２ａの端面と、被連結側の対向辺２ｃの端面とが対向し、ガタつきを抑制しつつ組み合わせることが可能である。さらに、折り畳んで容器５６に収容した場合には、連結部２６を持ち手として容易に運搬できるという効果も有する。
【００２５】
その他、本発明は、上記実施形態に限定されるものではなく、以下に例示するように発明の趣旨を逸脱しない範囲で、各部の構成を任意に変更して実施することも可能である。（１）洋式便座台の着座面に、着座位置を示すシリコンゴム５９を配置すること。
（２）洋式便座台の着座面側において、切り欠き部２４の稜線に丸みを形成し、座り心地良く構成すること。
【符号の説明】
【００２６】
１    マルチボードユニット
２    第１板状部材
３    第２板状部材
４    第３板状部材
２４    切り欠き部
２５    取付穴
２６    連結部
２７    凸部
２８    凹部
２９，３９    貫通孔
３０    持ち手穴
３１，４１    蝶着機構
３３，４３    載置溝
３２    挟持部
５３    パイプ椅子
５４    キャスター
５５    固定具
【図１】
2020039577.tif 000003
【図２】
2020039577.tif 000004
【図３】
2020039577.tif 000005
【図４】
2020039577.tif 000006
【図５】
2020039577.tif 000007
【図６】
2020039577.tif 000008
【図７】
2020039577.tif 000009
【図８】
2020039577.tif 000010
【図９】
2020039577.tif 000011